(57)【要約】【課題】温度変化による影響をできるだけ小さくしたレーザダイオードを用いる光送信機を提供する。【解決手段】本発明の光送信機１は、マイクロ波信号を光信号１３に変換して出力するレーザダイオード１２と、レーザダイオード１２の温度を測定する温度センサ１５と、温度毎に、マイクロ波信号の信号レベルの調整量を表す温度補償信号を記憶する記憶部１８と、温度センサ１５により測定された温度に対応する温度補償信号を記憶部１８から読み出す読出部１７と、読出部１７で読み出された温度補償信号が表す調整量に応じてマイクロ波信号の信号レベルを調整してレーザダイオード１２に送るマイクロ波信号調整部１１と、を備える。【選択図】図１
2010245667.tif 000002
【特許請求の範囲】
【請求項１】
マイクロ波信号を光信号に変換して出力するレーザダイオードと、
前記レーザダイオードの温度を測定する温度センサと、
温度毎に、前記マイクロ波信号の信号レベルの調整量を表す温度補償信号を記憶する記憶部と、
前記温度センサにより測定された温度の前記温度補償信号を前記記憶部から読み出す読出部と、
前記読出部で読み出された前記温度補償信号が表す調整量に応じて前記マイクロ波信号の信号レベルを調整して前記レーザダイオードに送るマイクロ波信号調整部と、を備える、
光送信機。
【請求項２】
前記レーザダイオードは、同軸型レーザダイオードである、
請求項１記載の光送信機。
【発明の詳細な説明】
【技術分野】
【０００１】
本発明は、同軸型レーザダイオードなどによりマイクロ波信号を光信号に変換して出力する光送信機に関する。
【背景技術】
【０００２】
データ通信技術の発展に伴い、大量の信号を高速、広帯域で通信する必要性が生じている。信号の広帯域化にともない、伝送路による損失が増大する傾向にある。また、信号をマイクロ波信号のまま同軸ケーブルなどにより長距離伝送することは、コスト的にも困難である。そこで、マイクロ波信号を光信号に変換して伝送するマイクロ波フォトニクスが注目され、盛んに研究開発が行われている。
【０００３】
安価な同軸型レーザダイオードによりマイクロ波信号から変換された光信号を出力する光送信機では、レーザダイオードから出力される光信号の品質を保つことが重要である。光信号の品質の劣化要因には、例えば温度変化がある。温度変化によりダイオードの特性が変化することで、スロープ効率が変化して、光送信機と受信機との間でゲイン（Gain）が変化する。アナログ伝送の場合には、ダイオードの特性の変化による影響は、より顕著になる。そのために、温度補償を行う光送信機が提案されている。特許文献１はそのような温度補償機能を有する光送信機の従来例である。
【０００４】
特許文献１には、感温素子で測定される温度に基づいて、レーザダイオードの順電流値、ドライバＩＣの駆動オフセット電圧、電圧振幅、デューティサイクルの制御を行う光送受信モジュールが開示されている。この光送受信モジュールは、デジタル方式の光通信に有効である。
【０００５】
特許文献１に開示される技術を、同軸型レーザダイオードを用いた光送信機に適用する場合、レーザダイオードの温度の変化により、レーザダイオードの特性の一つであるスロープ効率が変化してゲインが変化してしまう欠点がある。
【先行技術文献】
【特許文献】
【０００６】
【特許文献１】特開２００７−１９１１９号公報
【発明の概要】
【発明が解決しようとする課題】
【０００７】
本発明は、上記の問題に鑑み、温度変化による影響をできるだけ小さくしたレーザダイオードを用いる光送信機を提供することを課題とする。
【課題を解決するための手段】
【０００８】
上記の課題を解決する本発明の光送信機は、マイクロ波信号を光信号に変換して出力するレーザダイオードと、前記レーザダイオードの温度を測定する温度センサと、温度毎に、前記マイクロ波信号の信号レベルの調整量を表す温度補償信号を記憶する記憶部と、前記温度センサにより測定された温度の前記温度補償信号を前記記憶部から読み出す読出部と、前記読出部で読み出された前記温度補償信号が表す調整量に応じて前記マイクロ波信号の信号レベルを調整して前記レーザダイオードに送るマイクロ波信号調整部と、を備える。
【０００９】
本発明の光送信機は、レーザダイオードの温度を測定しており、測定した温度に応じた温度補償信号により、マイクロ波信号の信号レベルの調整を行う。そのために、温度変化によるレーザダイオードの特性の変化の影響を抑制する。よって、安定したマイクロ波信号の出力が得られる。
前記レーザダイオードには、例えば同軸型レーザダイオードを用いることができる。
【発明の効果】
【００１０】
上記のような本発明により、レーザダイオードの温度に応じてマイクロ波信号の信号レベルを調整するので、温度変化によるレーザダイオードの特性の変化の影響が打ち消される。
【図面の簡単な説明】
【００１１】
【図１】本実施形態の光送信機の回路構成図である。
【発明を実施するための形態】
【００１２】
以下、本発明の実施形態を図面を参照して説明する。
図１は、本実施形態の光送信機の回路構成図である。
光送信機１は、入力端子１０からマイクロ波信号が入力されるマイクロ波信号調整部１１と、マイクロ波信号を光信号１３に変換して出力するレーザダイオード１２と、ＡＰＣ（Automatic Power Control）回路１４と、温度センサ１５と、Ａ／Ｄ変換部１６と、読出部１７と、記憶部１８とを備えている。光送信機１は、入力端子１０から入力されるマイクロ波信号に応じて光信号１３をレーザダイオード１２から出力する装置である。
【００１３】
マイクロ波信号調整部１１は、例えば汎用の可変アッテネータにより実現される。マイクロ波信号調整部１１は、入力端子１０から入力されるマイクロ波信号をレーザダイオード１２を駆動するのに最適な信号レベルに調整して出力する。最適な信号レベルに調整するために、マイクロ波信号調整部１１には、読出部１７から、後述する温度補償のための温度補償信号が入力される。マイクロ波信号調整部１１は、温度補償信号に応じてマイクロ波信号の信号レベルを調整する。
【００１４】
レーザダイオード１２は、マイクロ波信号調整部１１により信号レベルが調整されたマイクロ波信号に応じて発光する。発光することで、マイクロ波信号に応じた光信号１３が出力される。この実施形態では、レーザダイオード１２は同軸型レーザダイオードである。レーザダイオード１２から出力される光信号１３は、例えば図示しない光ファイバなどを通して図示しない光受信機へ送信される。ＡＰＣ回路１３は、レーザダイオード１２から出力される光信号１３の出力レベルを一定に調整するための回路である。
【００１５】
温度センサ１５は、レーザダイオード１２の温度を測定しており、測定した温度を表すアナログ信号である温度信号をＡ／Ｄ変換部１５へ送信する。Ａ／Ｄ変換部１６は、温度センサ１５から送られる温度信号をアナログ−デジタル変換して読出部１７へ送る。読出部１７はデジタル信号に変換された温度信号に対応する温度補償信号を、記憶部１８から読み出してマイクロ波信号調整部１１に送る。
記憶部１７には、レーザダイオード１２の温度毎の特性変化を打ち消すために、マイクロ波信号の信号レベルを調整するための調整量を表す温度補償信号が記憶されている。温度補償信号は、マイクロ波信号調整部１１を設定するための値を表しており、この値によりマイクロ波信号の信号レベルが最適な値に調整される。温度補償信号は、例えば、レーザダイオード１２の温度毎の特性変化に応じてその値が決められており、予め記憶部１８に記憶される。
【００１６】
温度補償信号によりマイクロ波信号の信号レベルを調整することで、レーザダイオード１２の温度変化による特性の変化の影響を抑えることができる。このような光送信機１を例えば特許文献１の光送受信モジュールに用いる場合、レーザダイオード１２の温度変化による特性の変化の影響を抑制することができるために、温度変化によるスロープ効率、ゲインの変化の影響を抑えることができる。
【符号の説明】
【００１７】
１…光送信機、１０…入力端子、１１…マイクロ波信号調整部、１２…レーザダイオード、１３…光信号、１４…ＡＰＣ回路、１５…温度センサ、１６…Ａ／Ｄ変換部と、１７…読出部、１８…記憶部
【図１】
2010245667.tif 000003